(57)【要約】【課題】  減速装置において、ハウジングの内部に設けた隔壁の表裏両側に上部貯留部を設けてなるとき、回転体により掻き上げられたオイルを隔壁の表裏両側の上部貯留部に分配すること。【解決手段】  減速装置１０において、回転体４０の回転軸に交差配置される隔壁１２をハウジング１１の内部に有し、隔壁１２の一側にオイル受けリブ６０が突設され、隔壁１２におけるオイル受けリブ６０のオイル受け面６１側の付け根に孔１２Ａを設け、オイル受けリブ６０のオイル受け面６１の一部に隔壁１２の一側へ向けて下り勾配をなすオイル分配面６２を備え、オイル受けリブ６０のオイル受け面６１の他部に隔壁１２の他側へ向けて下り勾配をなすオイル分配面６３を備えてなるもの。【選択図】  図１３
2012189176.tif 000002
【特許請求の範囲】
【請求項１】
ハウジングの内部に回転体を配置し、
回転体の回転に伴って掻き上げられてハウジングの内部に飛散したオイルが、ハウジングの内部に離隔して設けられる複数の上部貯留部のそれぞれに分配される減速装置において、
回転体の回転軸に交差配置される隔壁をハウジングの内部に有し、この隔壁の一側に回転体を配置するとともに、該隔壁の一側と他側のそれぞれに上部貯留部を設け、
回転体が掻き上げるオイルに相対するオイル受け面にて該オイルを受けるオイル受けリブが上記隔壁の一側に突設され、該隔壁におけるオイル受けリブのオイル受け面側の付け根に他側の上部貯留部につながる孔を設け、
オイル受けリブのオイル受け面の一部に一側の上部貯留部の側へ向けて下り勾配をなす一側のオイル分配面を備え、
オイル受けリブのオイル受け面の他部に上記孔及び他側の上部貯留部の側へ向けて下り勾配をなす他側のオイル分配面を備えてなることを特徴とする減速装置。
【請求項２】
前記ハウジングが有する隔壁の一側と他側のそれぞれに少なくとも各１つの上部貯留部を設けてなる請求項１に記載の減速装置。
【請求項３】
前記ハウジングが有する隔壁の一側と他側のそれぞれに複数の上部貯留部を設けてなり、
オイル受けリブに設ける一側のオイル分配面が一側の複数の上部貯留部に対応する複数のオイル分配面を備え、
オイル受けリブに設ける他側のオイル分配面が他側の複数の上部貯留部に対応する複数のオイル分配面を備える請求項１に記載の減速装置。
【請求項４】
ハウジングの内部にモータと減速ギヤ列とデフケースを配置し、デフケースにリングギヤを取着してなり、
デフケース及びリングギヤの回転に伴って掻き上げられてハウジングの内部に飛散したオイルが、ハウジングの内部に離隔して設けられる複数の上部貯留部のそれぞれに分配されるモータ付デファレンシャル装置において、
デフケースの回転軸に交差する面上に設けられ、モータが配置されるモータ室と減速ギヤ列が配置されるギヤ室とを仕切る隔壁をハウジングの内部に有し、この隔壁のギヤ室側にデフケース及びリングギヤを配置するとともに、該隔壁のモータ室側とギヤ室側のそれぞれに上部貯留部を設け、
リングギヤが掻き上げるオイルに相対するオイル受け面にて該オイルを受けるオイル受けリブが上記隔壁のギヤ室側に突設され、該隔壁におけるオイル受けリブのオイル受け面側の付け根にモータ室側の上部貯留部につながる孔を設け、
オイル受けリブのオイル受け面の一部にギヤ室側の上部貯留部の側へ向けて下り勾配をなすギヤ室向けのオイル分配面を備え、
オイル受けリブのオイル受け面の他部に上記孔及びモータ室側の上部貯留部の側へ向けて下り勾配をなすモータ室向けのオイル分配面を備えてなることを特徴とするモータ付デファレンシャル装置。
【請求項５】
前記ハウジングが有する隔壁のモータ室側とギヤ室側のそれぞれに少なくとも各１つの上部貯留部を設けてなる請求項４に記載のモータ付デファレンシャル装置。
【請求項６】
前記ハウジングが有する隔壁のモータ室側とギヤ室側のそれぞれに複数の上部貯留部を設けてなり、
オイル受けリブに設けるギヤ室向けのオイル分配面がギヤ室側の複数の上部貯留部に対応する複数のオイル分配面を備え、
オイル受けリブに設けるモータ室向けのオイル分配面がモータ室側の複数の上部貯留部に対応する複数のオイル分配面を備える請求項４に記載のモータ付デファレンシャル装置。
【発明の詳細な説明】
【技術分野】
【０００１】
本発明は、減速装置及びモータ付デファレンシャル装置に関する。
【背景技術】
【０００２】
従来、デファレンシャル装置等の減速装置では、ハウジングの内部にデフケース等の回転体、及びリングギヤ等のギヤを配置して動力を伝達し、この回転体やギヤを軸受によりハウジング内に枢支している。
【０００３】
ギヤは高いトルクを伝達し、かつ高い回転数で回転するので、ギヤの噛合い部の焼付防止及び冷却を目的にする潤滑用オイルがハウジング内に封入される。また、軸受も荷重を受けて高速回転するので、この潤滑用オイルを用いて焼付防止及び冷却を図っている。
【０００４】
ギヤと軸受への潤滑方法として、オイルポンプを用いた強制潤滑方法と、ギヤの回転により掻き上げられてハウジングの内部に飛散したオイルを潤滑必要部に供給する方法がある。
【０００５】
オイルポンプを用いる方法は、ポンプ及びオイル供給路の形成にコストがかかるため、元来ポンプを必要とする自動変速機や無段変速機に採用されることが多い。
【０００６】
ギヤの回転により掻き上げられたオイルを用いる方法では、オイルの掻き上げ先にオイルを受けるオイル受け手段を設け、このオイル受け手段で受けたオイルを潤滑必要部に分配する。
【０００７】
ハウジングの内部に離隔して設けられる複数の潤滑必要部のそれぞれに、ギヤの回転により設けられたオイルを分配する方法が、特許文献１〜３に開示されているが、これらが用いるオイル受け手段はいずれもオイルガータ（特許文献１、２）や樋部材（特許文献３）を必要とし、部品コストと取付コストが発生する。
【０００８】
そこで従来、ハウジングの内壁にオイル受けリブを突設し、ギヤの回転により掻き上げられたオイルをオイル受けリブで受け、オイル受けリブで受けたオイルを複数の潤滑必要部へ分配するものがある。
【０００９】
このようなオイル受けリブを用いる方法では、ハウジングの内壁に突設するリブを水平に対して傾斜させ、ハウジングの内壁に付着して流れ落ちるオイルを該リブの上面で受け、ハウジングの内壁に沿う下方の潤滑必要部に供給するものや、ハウジングの内壁に突設するリブをオイルが飛散してくる方向に対して略直角に形成し、該リブに付着したオイルをハウジングの内壁の一側で該リブの下方に滴下するものがある（例えば特許文献４）。
【００１０】
一方、オイルを掻き上げるギヤから遠隔の潤滑必要部に多量のオイルを分配する場合に、特許文献５に記載の如く、オイルの飛散する方向に対して略平行なリブをハウジングの内壁に突設し、オイルをハウジングの内壁の一側でこのリブに沿って潤滑必要部に振り分けるものがある。リブにより振り分けられるオイルの方向はハウジングの内壁の一側で、ギヤの回転により掻き上げられたオイルの飛散する方向と略平行する方向になる。
【００１１】
また、特許文献６に記載の如く、ギヤの回転により掻き上げられたオイルを受ける複数の空間をハウジングの内壁に形成し、オイルをこれらの空間から複数の潤滑必要部へ分配するものがある。この場合も、オイルの流れる方向はハウジングの内壁の一側で、ギヤの回転によるオイルの掻き上げ方向と略同一方向になる。
【先行技術文献】
【特許文献】
【００１２】
【特許文献１】実公昭62-31723
【特許文献２】特開平4-272561
【特許文献３】特許3719582
【特許文献４】実開平2-18724
【特許文献５】特許3862125
【特許文献６】実開平4-127452
【発明の概要】
【発明が解決しようとする課題】
【００１３】
特許文献１〜３に記載の減速装置では、オイル受け手段としてオイルガータ等の潤滑用部品を必要とし、部品コストと取付コストが発生する。
【００１４】
特許文献４〜６に記載の減速装置では、オイル受け手段としてハウジングに突設されるリブを用いる等により格別の潤滑用部品を必要としない。
【００１５】
しかしながら、特許文献４〜６に記載のオイル受けリブは、ギヤの回転により掻き上げられたオイルを、ハウジングの内壁の一側でのみ、その掻き上げ方向に略直交する下方や、その掻き上げ方向に略平行する方向に分配するに過ぎない。
【００１６】
即ち、従来技術では、減速装置において、回転体の回転軸に交差配置される隔壁をハウジングの内部に有し、この隔壁の一側に回転体及びギヤを配置し、ギヤが掻き上げるオイルを受けるオイル受けリブを該隔壁の一側に突設するとき、ギヤにより掻き上げられたオイルを該オイル受けリブにより隔壁の一側の潤滑必要部にのみ分配するに過ぎず、隔壁の他側の潤滑必要部にまで分配可能にすることの考慮がない。
【００１７】
本発明の課題は、減速装置において、ハウジングの内部に設けた隔壁の表裏両側に上部貯留部を設けてなるとき、回転体により掻き上げられたオイルを隔壁の表裏両側の上部貯留部に分配することにある。
【００１８】
本発明の他の課題は、モータ付デファレンシャル装置において、ハウジングの内部に設けた隔壁の表裏両側に上部貯留部を設けてなるとき、リングギヤにより掻き上げられたオイルを隔壁の表裏両側の上部貯留部に分配することにある。
【課題を解決するための手段】
【００１９】
請求項１に係る発明は、ハウジングの内部に回転体を配置し、回転体の回転に伴って掻き上げられてハウジングの内部に飛散したオイルが、ハウジングの内部に離隔して設けられる複数の上部貯留部のそれぞれに分配される減速装置において、回転体の回転軸に交差配置される隔壁をハウジングの内部に有し、この隔壁の一側に回転体を配置するとともに、該隔壁の一側と他側のそれぞれに上部貯留部を設け、回転体が掻き上げるオイルに相対するオイル受け面にて該オイルを受けるオイル受けリブが上記隔壁の一側に突設され、該隔壁におけるオイル受けリブのオイル受け面側の付け根に他側の上部貯留部につながる孔を設け、オイル受けリブのオイル受け面の一部に一側の上部貯留部の側へ向けて下り勾配をなす一側のオイル分配面を備え、オイル受けリブのオイル受け面の他部に上記孔及び他側の上部貯留部の側へ向けて下り勾配をなす他側のオイル分配面を備えてなるようにしたものである。
【００２０】
請求項２に係る発明は、請求項１に係る発明において更に、前記ハウジングが有する隔壁の一側と他側のそれぞれに少なくとも各１つの上部貯留部を設けてなるようにしたものである。
【００２１】
請求項３に係る発明は、請求項１に係る発明において更に、前記ハウジングが有する隔壁の一側と他側のそれぞれに複数の上部貯留部を設けてなり、オイル受けリブに設ける一側のオイル分配面が一側の複数の上部貯留部に対応する複数のオイル分配面を備え、オイル受けリブに設ける他側のオイル分配面が他側の複数の上部貯留部に対応する複数のオイル分配面を備えるようにしたものである。
【００２２】
請求項４に係る発明は、ハウジングの内部にモータと減速ギヤ列とデフケースを配置し、デフケースにリングギヤを取着してなり、デフケース及びリングギヤの回転に伴って掻き上げられてハウジングの内部に飛散したオイルが、ハウジングの内部に離隔して設けられる複数の上部貯留部のそれぞれに分配されるモータ付デファレンシャル装置において、デフケースの回転軸に交差する面上に設けられ、モータが配置されるモータ室と減速ギヤ列が配置されるギヤ室とを仕切る隔壁をハウジングの内部に有し、この隔壁のギヤ室側にデフケース及びリングギヤを配置するとともに、該隔壁のモータ室側とギヤ室側のそれぞれに上部貯留部を設け、リングギヤが掻き上げるオイルに相対するオイル受け面にて該オイルを受けるオイル受けリブが上記隔壁のギヤ室側に突設され、該隔壁におけるオイル受けリブのオイル受け面側の付け根にモータ室側の上部貯留部につながる孔を設け、オイル受けリブのオイル受け面の一部にギヤ室側の上部貯留部の側へ向けて下り勾配をなすギヤ室向けのオイル分配面を備え、オイル受けリブのオイル受け面の他部に上記孔及びモータ室側の上部貯留部の側へ向けて下り勾配をなすモータ室向けのオイル分配面を備えてなるようにしたものである。
【００２３】
請求項５に係る発明は、請求項４に係る発明において更に、前記ハウジングが有する隔壁のモータ室側とギヤ室側のそれぞれに少なくとも各１つの上部貯留部を設けてなるようにしたものである。
【００２４】
請求項６に係る発明は、請求項４に係る発明において更に、前記ハウジングが有する隔壁のモータ室側とギヤ室側のそれぞれに複数の上部貯留部を設けてなり、オイル受けリブに設けるギヤ室向けのオイル分配面がギヤ室側の複数の上部貯留部に対応する複数のオイル分配面を備え、オイル受けリブに設けるモータ室向けのオイル分配面がモータ室側の複数の上部貯留部に対応する複数のオイル分配面を備えるようにしたものである。
【発明の効果】
【００２５】
（請求項１）
(a)回転体の回転軸に交差配置される隔壁をハウジングの内部に有し、この隔壁の一側に回転体を配置するとともに、該隔壁の一側と他側のそれぞれに上部貯留部を設け、回転体が掻き上げるオイルに相対するオイル受け面にて該オイルを受けるオイル受けリブが上記隔壁の一側に突設され、該隔壁におけるオイル受けリブのオイル受け面側の付け根に他側の上部貯留部につながる孔を設け、オイル受けリブのオイル受け面の一部に一側の上部貯留部の側へ向けて下り勾配をなす一側のオイル分配面を備え、オイル受けリブのオイル受け面の他部に上記孔及び他側の上部貯留部の側へ向けて下り勾配をなす他側のオイル分配面を備える。
【００２６】
隔壁の一側の上部貯留部へ向かうオイルの流れを生じさせるオイル受けリブの一側のオイル分配面は、ハウジングにおける隔壁の一側を形成する鋳型の抜き方向にあり、この鋳型を用いる鋳造において不可欠となる抜き勾配により該リブの上に一側のオイル分配面の下り勾配を形成できる。
【００２７】
隔壁の他側の上部貯留部へ向かうオイルの流れを生じさせるオイル受けリブの他側のオイル分配面は、ハウジングにおける隔壁の他側を形成する鋳型の抜き方向にあり、この鋳型を用いる鋳造において不可欠となる抜き勾配により該リブの上に他側のオイル分配面の下り勾配を形成できる。
【００２８】
オイル受けリブの隔壁の一側と他側の両オイル分配面を単一のオイル受けリブに併せ形成し、しかも鋳型により簡易に形成でき、それらの両オイル分配面によって、回転体により掻き上げられるオイルを隔壁の両側の上部貯留部に分配することができる。
【００２９】
両オイル分配面の形状設定により、一側と他側の各上部貯留部に対しそれらの必要オイル量に応じた分配量を適度に分配できる。
【００３０】
（請求項２）
(b)前記ハウジングが有する隔壁の一側と他側のそれぞれに少なくとも各１つの上部貯留部を設けることができる。
【００３１】
（請求項３）
(c)前記ハウジングが有する隔壁の一側と他側のそれぞれに複数の上部貯留部を設けてなり、オイル受けリブに設ける一側のオイル分配面が一側の複数の上部貯留部に対応する複数のオイル分配面を備え、オイル受けリブに設ける他側のオイル分配面が他側の複数の上部貯留部に対応する複数のオイル分配面を備えるものとすることができる。
【００３２】
（請求項４）
(d)デフケースの回転軸に交差する面上に設けられ、モータが配置されるモータ室と減速ギヤ列が配置されるギヤ室とを仕切る隔壁をハウジングの内部に有し、この隔壁のギヤ室側にデフケース及びリングギヤを配置するとともに、該隔壁のモータ室側とギヤ室側のそれぞれに上部貯留部を設け、リングギヤが掻き上げるオイルに相対するオイル受け面にて該オイルを受けるオイル受けリブが上記隔壁のギヤ室側に突設され、該隔壁におけるオイル受けリブのオイル受け面側の付け根にモータ室側の上部貯留部につながる孔を設け、オイル受けリブのオイル受け面の一部にギヤ室側の上部貯留部の側へ向けて下り勾配をなすギヤ室向けのオイル分配面を備え、オイル受けリブのオイル受け面の他部に上記孔及びモータ室側の上部貯留部の側へ向けて下り勾配をなすモータ室向けのオイル分配面を備える。
【００３３】
隔壁のギヤ室側の上部貯留部へ向かうオイルの流れを生じさせるオイル受けリブのギヤ室向けのオイル分配面は、ハウジングにおける隔壁のギヤ室側を形成する鋳型の抜き方向にあり、この鋳型を用いる鋳造において不可欠となる抜き勾配により該リブの上にギヤ室向けのオイル分配面の下り勾配を形成できる。
【００３４】
隔壁のモータ室側の上部貯留部へ向かうオイルの流れを生じさせるオイル受けリブのモータ室向けのオイル分配面は、ハウジングにおける隔壁のモータ室側を形成する鋳型の抜き方向にあり、この鋳型を用いる鋳造において不可欠となる抜き勾配により該リブの上にモータ室向けのオイル分配面の下り勾配を形成できる。
【００３５】
オイル受けリブの上述のギヤ室向けとモータ室向けの両オイル分配面を単一のオイル受けリブに併せ形成し、しかも鋳型により簡易に形成でき、それらの両オイル分配面によって、リングギヤにより掻き上げられるオイルを隔壁の両側の上部貯留部に分配することができる。
【００３６】
両オイル分配面の形状設定により、モータ室側とギヤ室側の各上部貯留部に対しそれらの必要オイル量に応じた分配量を適度に分配できる。
【００３７】
（請求項５）
(e)前記ハウジングが有する隔壁のモータ室側とギヤ室側のそれぞれに少なくとも各１つの上部貯留部を設けることができる。
【００３８】
（請求項６）
(f)前記ハウジングが有する隔壁のモータ室側とギヤ室側のそれぞれに複数の上部貯留部を設けてなり、オイル受けリブに設けるギヤ室向けのオイル分配面がギヤ室側の複数の上部貯留部に対応する複数のオイル分配面を備え、オイル受けリブに設けるモータ室向けのオイル分配面がモータ室側の複数の上部貯留部に対応する複数のオイル分配面を備えるものとすることができる。
【図面の簡単な説明】
【００３９】
【図１】図１はデファレンシャル装置を示す平面図である。
【図２】図２はデファレンシャル装置を示す横断面図である。
【図３】図３は図２のIII−III線に沿う断面図である。
【図４】図４は図２のIV−IV線に沿う断面図である。
【図５】図５は図２のV−V線に沿う断面図である。
【図６】図６はデファレンシャル装置の潤滑系統を示す模式図である。
【図７】図７はデファレンシャル装置の潤滑系統を示す斜視図である。
【図８】図８は図６のVIII−VIII線に沿う断面図である。
【図９】図９は図６のIX−IX線に沿う断面図である。
【図１０】図１０は図９のX−X線に沿う断面図である。
【図１１】図１１は図６のXI−XI線に沿う断面図である。
【図１２】図１２は図１１のXII−XII線に沿う断面図である。
【図１３】図１３はオイル受けリブを示す斜視図である。
【発明を実施するための形態】
【００４０】
デファレンシャル装置１０は、図１〜図５に示す如く、モータ付デファレンシャル装置であり、ハウジング１１の内部にモータ２０と減速ギヤ列３０と差動装置を構成するデフケース４０を配置している。
【００４１】
デファレンシャル装置１０は、ハウジング１１の内部でデフケース４０の後述する出力軸４１（回転軸）に交差する平面上に設けられる隔壁１２を有し、モータ２０が配置されるモータ室１３と減速ギヤ列３０が配置されるギヤ室１４とを隔壁１２により仕切る。デファレンシャル装置１０は、隔壁１２のギヤ室１４の側であって該ギヤ室１４に後方からつながり、デフケース４０及び後述するリングギヤ４４が配置されるデフ室１５を設ける。デファレンシャル装置１０は、モータ室１３を外側から閉じる一端閉塞状キャップ１６をハウジング１１の左開口端にボルト止めし、ギヤ室１４を外側から閉じる一端閉塞状カバー１７をハウジング１１の右開口端にボルト止めする。本発明では、モータ２０と減速ギヤ列３０とデフケース４０を内蔵するハウジング１１とキャップ１６とカバー１７の全部を広義のハウジングとする。
【００４２】
尚、本実施例では、デファレンシャル装置１０が車両に搭載された状態で、鉛直上方を上、鉛直下方を下とする。また、車両前進方向を前方とし、モータ２０及び減速ギヤ列３０の側を前方、デフケース４０の側を後方として説明する。
【００４３】
モータ２０は、ハウジング１１のモータ室１３内で、モータ軸２１の左右の両端部をキャップ１６と隔壁１２のボス２２Ａ、３２Ａのそれぞれに保持した左右の軸受２２、３２により枢支し、このモータ軸２１の外周にロータ２３を備え、環状隙間を介してロータ２３を囲むステータ２４をハウジング１１の内周に固定配置している。尚、モータ軸２１の右端部は、このモータ軸２１に同軸結合されている減速ギヤ列３０の入力軸３１を介して上述の軸受３２に枢支される。
【００４４】
減速ギヤ列３０は、ハウジング１１のギヤ室１４内で、モータ軸２１に同軸結合されて接続される入力軸３１の左右両端部を隔壁１２とカバー１７のボス３２Ａ、３３Ａのそれぞれに保持した左右の軸受３２、３３により枢支し、この入力軸３１の外周に入力ギヤ３４を固定している。また、減速ギヤ列３０は、ハウジング１１のギヤ室１４内で、入力軸３１に平行する中間軸３５の左右両端部を隔壁１２とカバー１７のボス３６Ａ、３７Ａのそれぞれに保持した左右の軸受３６、３７により枢支し、この中間軸３５の外周に第１中間ギヤ３８と第２中間ギヤ３９を固定している。第１中間ギヤ３８は入力ギヤ３４と噛合い、第２中間ギヤ３９は後述するリングギヤ４４（出力ギヤ）に噛合う。
【００４５】
デフケース４０は、ハウジング１１のデフ室１５内で、左右の出力軸４１をハウジング１１とカバー１７のボス４２Ａ、４３Ａのそれぞれに保持した左右の軸受４２、４３により枢支している。デフケース４０は、出力軸４１の右端の側に設けたフランジ４１Ａの左側面にリングギヤ４４をボルト固定している。デフケース４０は、ケース本体４０Ａの内部に、左右の車軸Ｌ、Ｒに接続される左右一対のサイドギヤ４５Ａ、４５Ｂと、このサイドギヤ４５Ａ、４５Ｂに噛合う前後一対のデフピニオン４７Ａ、４７Ｂ等の差動装置を内蔵している。サイドギヤ３４Ａ、４５Ｂはそれらの支軸４６Ａ、４６Ｂをデフケース４０の軸孔に枢支される。デフピニオン４７Ａ、４７Ｂはデフケース４０の軸孔に嵌挿された支軸４８に枢支される。
【００４６】
デファレンシャル装置１０は、入力ギヤ３４、第１中間ギヤ３８、第２中間ギヤ３９、リングギヤ４４のギヤ径ｄ1、ｄ2、ｄ3、ｄ4を、ｄ1＜ｄ2、ｄ2＞ｄ3、ｄ3＜ｄ4としている。モータ２０の回転が入力ギヤ３４、第１中間ギヤ３８、第２中間ギヤ３９を介してデフケース４０に固定のリングギヤ４４の順に減速されて伝達され、更に、デフケース４０に内蔵されているサイドギヤ４５Ａ、４５Ｂとデフピニオン４７Ａ、４７Ｂの差動装置を介して左右の車軸Ｌ、Ｒに伝達される。
【００４７】
しかるに、デファレンシャル装置１０では、図６に示す如く、モータ２０、減速ギヤ列３０、デフケース４０の差動装置等の複数の潤滑系統を潤滑するためのオイルをハウジング１１の内部に充填してあり、最も外径の大きいリングギヤ４４の外周の下側の一部を浸漬するようにオイルを貯留する下部貯留部５０（図７）がハウジング１１の内部の下部に設けられている。モータ２０の回転が前述の如くにしてリングギヤ４４に伝達されると、このリングギヤ４４及びリングギヤ４４が下部貯留部５０に貯留されているオイルを掻き上げる。そして、デフケース４０及びリングギヤ４４の回転に伴って掻き上げられてハウジング１１の内部に飛散したオイルが、ハウジング１１の内部に離隔して設けられている複数の上部貯留部５１、５２…のそれぞれに分配される。
【００４８】
即ち、デファレンシャル装置１０にあっては、リングギヤ４４の回転に伴って上述の下部貯留部５０から掻き上げられたオイルを貯留する複数の上部貯留部５１、５２…をハウジング１１の内部の複数の潤滑必要部Ａ、Ｂ…に近接してハウジング１１の上部の複数ヶ所に設けている。
【００４９】
そして、各上部貯留部５１、５２…に貯留されたオイルが、各上部貯留部５１、５２…から対応する各潤滑必要部Ａ、Ｂ…に向けて重力で落下して供給される。
【００５０】
本実施例では、図６に示す如く、前述した隔壁１２のモータ室１３の側に上部貯留部５１を設け、隔壁１２のギヤ室１４の側に上部貯留部５２を設け、ギヤ室１４の後方につながるデフ室１５の側に上部貯留部５３、５４を設ける。そして、ハウジング１１、キャップ１６、カバー１７の内部の上部の４カ所に第１〜第４の上部貯留部５１〜５４を設け、モータ室１３の潤滑必要部Ａに対し第１の上部貯留部５１を、ギヤ室１４の潤滑必要部Ｂに対し第２の上部貯留部５２を、デフケース４０の一端側の潤滑必要部Ｃに対し第３の上部貯留部５３を、デフケース４０の他端側の潤滑必要部Ｄに対し第４の上部貯留部５４を、それぞれ近接配置した。具体的には、以下の通りである。
【００５１】
尚、上述の分割必要部Ａ、Ｂ、Ｃ、Ｄは具体的には以下の通りである（図２）。
潤滑必要部Ａは、モータ２０の支持軸受２２、３２と、モータ２０のステータ２４及びロータ２３である。
【００５２】
潤滑必要部Ｂは、入力軸３１の支持軸受３３と、中間軸３５の支持軸受３６、３７である。
【００５３】
潤滑必要部Ｃは、オイルシール４９Ｌの摺接部と、車軸Ｌとデフケース４０の摺接面４６Ａと、サイドギヤ４５Ａとデフピニオン４７Ａ、４７Ｂの噛合い部と、サイドギヤ４５Ａの背面とスラストワッシャとデフケース４０の摺接面と、デフピニオン４７Ａ、４７Ｂの背面とスラストワッシャとデフケース４０の摺接面と、デフピニオン４７Ａ、４７Ｂの内径と支軸４８の摺接面と、デフケース４０の軸受４２である。
【００５４】
潤滑必要部Ｄは、オイルシール４９Ｒの摺接部と、車軸Ｌとデフケース４０の摺接面４６Ｂと、サイドギヤ４５Ｂとデフピニオン４７Ａ、４７Ｂの噛合い部と、サイドギヤ４５Ｂの背面とスラストワッシャとデフケース４０の摺接面と、デフピニオン４７Ａ、４７Ｂの背面とスラストワッシャとデフケース４０の摺接面と、デフピニオン４７Ａ、４７Ｂの内径と支軸４８の摺接面と、デフケース４０の軸受４３である。
【００５５】
（モータ室１３の潤滑必要部Ａへの潤滑系統）
デファレンシャル装置１０にあっては、ハウジング１１の内部のギヤ室１４側で、リングギヤ４４が下部貯留部５０から回転方向に掻き上げるオイルの掻き上げ方向（リングギヤ４４の外周の概ね接線方向）に相対するオイル受け面６１にて該オイルを受けるオイル受けリブ６０を有する。オイル受けリブ６０は、ハウジング１１の隔壁１２よりもギヤ室１４側の上部内面からハウジング１１の後ろ斜め下方に向けて延在され、かつ隔壁１２のギヤ室１４側の壁面上〜ハウジング１１におけるカバー１７との合面まで突設されている。オイル受けリブ６０は隔壁１２の後方寄りの上端側の壁面上で、後述する第２の上部貯留部５２を形成するための仕切り壁７１の上部に突設される。そして、隔壁１２におけるオイル受けリブ６０のオイル受け面６１の付け根に、ギヤ室１４の側からモータ室１３の上部貯留部５１につながる孔１２Ａ（貫通孔）を設けている。
【００５６】
更に、オイル受けリブ６０は、図１３に示す如く、オイル受け面６１の一部にギヤ室１４の側の上部貯留部５２の側（図１３のＦb方向）へ向けて下り勾配をなすギヤ室向けのオイル分配面６２を備える。また、オイル受けリブ６０は、図１３に示す如く、オイル受け面６１の他部、本実施例ではオイル分配面６２の下側に並び、上述の孔１２Ａ及びモータ室１３の上部貯留部５１の側（図１３のＦa方向）へ向けて下り勾配をなすモータ室向けのオイル分配面６３を備える。尚、本実施例では、デファレンシャル装置１０が車両に搭載された状態で、オイル受けリブ６０のオイル分配面６２、６３が水平面に対してなす傾斜を勾配という。
【００５７】
デファレンシャル装置１０は、図７、図１１、図１２に示す如く、ハウジング１１及びキャップ１６により第１の上部貯留部５１を形成している。第１の上部貯留部５１は、ハウジング１１に設けられる空洞部５１Ａ（図７）と、キャップ１６に設けられる空洞部５１Ｂ（図１１）が、ハウジング１１とキャップ１６の合面で連続されて形成される。
【００５８】
空洞部５１Ａは、ハウジング１１のモータ軸２１が配置される中心軸に直交する断面の後方寄り壁内に鋳造にて成形され、ハウジング１１の周方向で外壁１１Ｋに沿う内壁１１Ｌが該外壁１１Ｋとの間に袋状をなすように囲み形成され、ハウジング１１の周方向で上述の隔壁１２の孔１２Ａが開口する上端側〜上下方向中間部に渡って円弧状をなし、ハウジング１１の軸方向で隔壁１２の孔１２Ａからキャップ１６が接続される合面に向けて、その下面が緩やかな下り勾配をなすように延在される。
【００５９】
空洞部５１Ｂは、キャップ１６の閉塞端面内で、キャップ１６の周方向で外壁１６Ｋに沿う内壁１６Ｌが該外壁１６Ｋとの間に袋状をなすように囲み形成し、空洞部５１Ａと同じ円弧状をなし、キャップ１６におけるハウジング１１との合面に開口する。キャップ１６はハウジング１１との合面の反対側に位置する閉塞端にオイル供給路５１Ｃを穿設して備え、このオイル供給路５１Ｃを空洞部５１Ｂに連通している。空洞部５１Ｂはハウジング１１との合面からオイル供給路５１Ｃに向けて、その下面が緩やかな下り勾配をなすように延在される。
【００６０】
ハウジング１１とキャップ１６が合面で接続されたとき、ハウジング１１の外壁１１Ｋ、内壁１１Ｌとキャップ１６の外壁１６Ｋ、内壁１６Ｌが完全に合致し、空洞部５１Ａと空洞部５１Ｂが連通して第１の上部貯留部５１を形成する。第１の上部貯留部５１の下面は、隔壁１２の孔１２Ａからオイル供給路５１Ｃに向けて緩やかな下り勾配をなす。
【００６１】
リングギヤ４４により下部貯留部５０から掻き上げられたオイルは、ハウジング１１の内部のギヤ室１４側で、後述する仕切り壁７１、７２が形成している第２の上部貯留部５２のオイル導入開口５２Ｃに入ったときに、隔壁１２上のオイル受けリブ６０のオイル受け面６１に受け止められる。このオイル受けリブ６０のオイル受け面６１に受け止められたオイルの一部は、オイル受けリブ６０のモータ室向けのオイル分配面６３の下り勾配に沿って隔壁１２の孔１２Ａから第１の上部貯留部５１の内部に流下して貯留されるものになる。第１の上部貯留部５１に貯留されたオイルは、該上部貯留部５１に近接配置されているモータ室１３の潤滑必要部Ａに以下の順で潤滑作用を及ぼす。
【００６２】
(1)第１の上部貯留部５１に貯留されたオイルは、図１２に示す如く、キャップ１６の空洞部５１Ｂに連通するようにキャップ１６の閉塞端に穿設されているオイル供給路５１Ｃから、キャップ１６のボス２２Ａが保持しているモータ軸２１のための軸受２２の側室２２Ｂに供給され、軸受２２のボール間を通って該軸受２２を潤滑し、軸受２２の焼付防止と冷却を行なう。
【００６３】
(2)軸受２２を潤滑してモータ室１３に流出したオイルは、モータ２０の左端側からロータ２３とステータ２４の環状隙間を通り、その過程でモータ２０を冷却する。
【００６４】
(3)モータ２０を冷却してモータ２０の右端側に流出したオイルは、隔壁１２のボス３２Ａが保持している軸受３２のボール間を通って該軸受３２を潤滑し、軸受３２の焼付防止と冷却を行なう。
【００６５】
(4)軸受３２を潤滑したオイルは、ギヤ室１４に流出してハウジング１１の下部に落下し、下部貯留部５０に戻る。
【００６６】
（ギヤ室１４の潤滑必要部Ｂへの潤滑系統）
デファレンシャル装置１０は、図８〜図１０に示す如く、ハウジング１１及びカバー１７により第２の上部貯留部５２を形成している。第２の上部貯留部５２は、ハウジング１１に設けられる空洞部５２Ａ（図８）と、カバー１７に設けられる空洞部５２Ｂ（図９、図１０）が、ハウジング１１とカバー１２の合面で連続されて形成される。
【００６７】
空洞部５２Ａは、図８に示す如く、ハウジング１１の前部内面の上下方向中間部からハウジング１１の後方に向けて延在され、かつ前述の隔壁１２のギヤ室１４側の壁面上〜ハウジング１１におけるカバー１７との合面まで突設される仕切り壁７１により、ハウジング１１の上部内面との間に区画される。
【００６８】
仕切り壁７１は、デフ室１５に臨む隔壁１２の後端寄りに突設され、リングギヤ４４の外周に沿う円弧状壁部７１Ａと、円弧状壁部７１Ａにつながり、中間軸３５のためのボス３６Ａの上部に沿う円弧状壁部７１Ｂと、円弧状壁部７１Ｂにつながり、入力軸３１のためのボス３２Ａの上部に沿う円弧状壁部７１Ｃと、円弧状壁部７１Ｃから水平に延び、ハウジング１１の前部内面につながる直線状壁部７１Ｄとからなる。仕切り壁７１の円弧状壁部７１Ａの先端はハウジング１１の上部内面との間に間隔を置き、この間隔により第２の上部貯留部５２のためのオイル導入開口５２Ｃを形成する。オイル導入開口５２Ｃはリングギヤ４４の外周の接線方向に位置し、リングギヤ４４が下部貯留部５０から回転方向に掻き上げるオイルを第２の上部貯留部５２に導入可能にする。仕切り壁７１の円弧状壁部７１Ａの上方には、図３、図８に示す如く、ハウジング１１の上部内面から延在している前述のオイル受けリブ６０が一定の間隔を介して配置されている。仕切り壁７１は円弧状壁部７１Ａから直線状壁部７１Ｄに向けてそれらの壁面が概ね下り勾配をなすようにつながり、それらの最下部となるオイル溜り５２Ｄが直線状壁部７１Ｄの上に形成される。
【００６９】
空洞部５２Ｂは、図９に示す如く、カバー１７の閉塞端面内で、カバー１７の前部内面の上下方向中間部からカバー１７の後方に向けて延在され、かつカバー１７の閉塞端面〜ハウジング１１との合面まで突設される仕切り壁７２により、カバー１７の上部内面との間に区画される。
【００７０】
仕切り壁７２は、空洞部５２Ａの仕切り壁７１の円弧状壁部７１Ａ〜７１Ｃ、直線状壁部７１Ｄと同様の円弧状壁部７２Ａ〜７２Ｃ、直線状壁部７２Ｄからなる。仕切り壁７２の円弧状壁部７２Ａの先端はカバー１７の上部内面との間に間隔をおき、この間隔により第２の上部貯留部５２のためのオイル導入開口５２Ｃを形成する。オイル導入開口５２Ｃはリングギヤ４４の外周の接線方向に位置し、リングギヤ４４が下部貯留部５０から回転方向に掻き上げるオイルを第２の上部貯留部５２に導入可能にする。仕切り壁７２は円弧状壁部７２Ａから直線状壁部７１Ｄに向けてそれらの壁面が概ね下り勾配をなすようにつながり、それらの最下部となるオイル溜り５２Ｄが直線状壁部７２Ｄの上に形成される。カバー１７は、ハウジング１１との合面の反対側に位置する閉塞端にオイル供給路５２Ｅを穿設して備え、このオイル供給路５２Ｅをオイル溜り５２Ｄに連通している。
【００７１】
ハウジング１１とカバー１７が合面で接続されたとき、ハウジング１１の仕切り壁７１とカバー１７の仕切り壁７２が完全に合致し、空洞部５２Ａと空洞部５２Ｂが第２の上部貯留部５２及びオイル導入開口５２Ｃ、オイル溜り５２Ｄを形成する。第２の上部貯留部５２の下面は、オイル導入開口５２Ｃからオイル溜り５２Ｄに向けて概ね下り勾配をなす。
【００７２】
リングギヤ４４により下部貯留部５０から掻き上げられたオイルは、仕切り壁７１、７２が形成しているオイル導入開口５２Ｃから第２の上部貯留部５２の入側に入ったときに、前述のオイル受けリブ６０のオイル受け面６１に受け止められる。このオイル受けリブ６０のオイル受け面６１により受け止められたオイルの一部は、オイル受けリブ６０のオイル分配面６２の下り勾配に沿って流下し、ひいては第２の上部貯留部５２の内部に落下して貯留されるものになる。第２の上部貯留部５２に貯留されたオイルは、第２の上部貯留部５２に近接配置されているギヤ室１４の潤滑必要部Ｂに以下の順で潤滑作用を及ぼす。
【００７３】
(1)第２の上部貯留部５２に貯留されたオイルはオイル溜り５２Ｄに集まり、オイル溜り５２Ｄに集まったオイルは、図１０に示す如く、カバー１７の閉塞端に穿設されているオイル供給路５２Ｅから、カバー１７のボス３３Ａが保持している入力軸３１のための軸受３３の側室３３Ｂに供給され、その一部のオイルが軸受３３のボール間を通って該軸受３３を潤滑し、軸受３３の焼付防止と冷却を行なう。
【００７４】
(2)軸受３３を潤滑してギヤ室１４に流出したオイルは、入力軸３１まわりの入力ギヤ３４及びその第１中間ギヤ３８との噛合い部を潤滑して冷却した後、ハウジング１１の下部に落下し、下部貯留部５０に戻る。
【００７５】
(3)カバー１７の側室３３Ｂに供給されたオイルの残部は、カバー１７の閉塞端に穿設されているオイル供給路５２Ｆから、カバー１７のボス３７Ａが保持している中間軸３５のための軸受３７の側室３７Ｂに供給され、その一部のオイルが軸受３７のボール間を通って該軸受３７を潤滑し、軸受３７の焼付防止と冷却を行なう。
【００７６】
(4)軸受３７を潤滑してギヤ室１４に流出したオイルは、中間軸３５まわりの第１中間ギヤ３８及びその入力ギヤ３４との噛合い部を潤滑して冷却した後、ハウジング１１の下部に落下し、下部貯留部５０に戻る。
【００７７】
(5)カバー１７の側室３７Ｂに供給されたオイルの残部は、側室３７Ｂに開口している中間軸３５の中空部３５Ａを通って、隔壁１２のボス３６Ａが保持している中間軸３５のための軸受３６の側室３６Ｂに供給され、軸受３６のボール間を通って該軸受３６を潤滑し、軸受３６の焼付防止と冷却を行なう。
【００７８】
(6)軸受３６を潤滑してギヤ室１４に流出したオイルは、中間軸３５まわりの第２中間ギヤ３９及びそのリングギヤ４４との噛合い部を潤滑して冷却した後、ハウジング１１の下部に落下し、下部貯留部５０に戻る。
【００７９】
（デフケース４０の左端側の潤滑必要部Ｃへの潤滑系統）
デファレンシャル装置１０は、図５、図７、図８に示す如く、リングギヤ４４の回転に伴って下部貯留部５０から掻き上げられてハウジング１１の内部に飛散したオイルを、デフケース４０の左端部の軸受４２に供給するためのオイル捕集構造として、第３の上部貯留部５３を形成している。
【００８０】
デファレンシャル装置１０は、図５、図７、図８に示す如く、ハウジング１１のデフ室１５を区画している内面に、デフケース４０の出力軸４１の左端部を枢支する軸受４２を保持するボス４２Ａを設けている。そして、ハウジング１１の上述の内面の上記ボス４２Ａの上部の両側から互いに平行に立上る立上り壁８１、８２と、該ボス４２Ａとで形成されるオイル捕集空間８３を第３の上部貯留部５３とすべく、このオイル捕集空間８３のデフケース４０に臨む下部側面を潤滑プレート、本実施例では左潤滑プレート８４で塞ぐとともに、その上部側面をデフ室１５内で回転するリングギヤ４４の外周の上部の左側部に臨むオイル導入開口５３Ａとして開口している。
【００８１】
デファレンシャル装置１０は、左潤滑プレート８４を両立上り壁８１、８２の相対する壁面に隙間なく添設し、オイル導入開口５３Ａを形成する上端部からボス４２Ａの側に取着される下端部に向けて下り勾配をなすように延在される。そして、左潤滑プレート８４の下端部が取着されたボス４２Ａの上端部（周方向の最上位部）に、第３の上部貯留部５３の最下部から、ボス４２Ａが保持している出力軸４１のための軸受４２の側室４２Ｂに渡るスリット状のオイル供給路５３Ｂを切欠形成している。
【００８２】
リングギヤ４４により下部貯留部５０から掻き上げられたオイルは、リングギヤ４４から直接的にオイル導入開口５３Ａに入り、又はハウジング１１の壁面を伝わり流れてから、第３の上部貯留部５３に導入されて貯留される。第３の上部貯留部５３に貯留されたオイルは、第３の上部貯留部５３に近接配置されているデフケース４０の左端側の潤滑必要部Ｃに以下の順で潤滑作用を及ぼす。
【００８３】
(1)第３の上部貯留部５３に貯留されたオイルは、ハウジング１１の内面のボス４２Ａに上述の如くに切欠形成されているオイル供給路５３Ｂから、ハウジング１１のボス４２Ａが保持している出力軸４１のための軸受４２の側室４２Ｂに供給される。側室４２Ｂに供給されたオイルの一部は、軸受４２のボール間を通って該軸受４２を潤滑し、軸受４２の焼付防止と冷却を行なう。側室４２Ｂに供給されたオイルは、同時に、左車軸Ｌのためにハウジング１１の左側の軸孔に設けられているオイルシール４９Ｌを潤滑する。軸受４２とオイルシール４９Ｌを潤滑したオイルは、軸受４２のボール間からハウジング１１の下部に落下し、下部貯留部５０に戻る。
【００８４】
(2)ハウジング１１の側室４２Ｂに供給されたオイルの残部は、デフケース４０の軸孔に枢支されているサイドギヤ４５Ａのための支軸４６Ａの外周螺旋溝ａ（図５）を通ってケース本体４０Ａの内部に流入し、デフケース４０Ａの内部のサイドギヤ４５Ａ、４５Ｂ、デフピニオン４７Ａ、４７Ｂ等の差動装置を潤滑する。デフケース４０Ａの内部の差動装置を潤滑したオイルは、デフケース４０Ａの窓部からハウジング１１の下部に落下し、下部貯留部５０に戻る。
【００８５】
（デフケース４０の右端側の潤滑必要部Ｄへの潤滑系統）
デファレンシャル装置１０は、図５、図７、図９に示す如く、リングギヤ４４の回転に伴って下部貯留部５０から掻き上げられてハウジング１１の内部に飛散したオイルを、デフケース４０の右端部の軸受４３に供給するためのオイル捕集構造として、第４の上部貯留部５４を形成している。
【００８６】
デファレンシャル装置１０は、図５、図７、図９に示す如く、カバー１７のデフ室１５を区画している内面に、デフケース４０の出力軸４１の右端部を枢支する軸受４３を保持するボス４３Ａを設けている。そして、カバー１７の上述の内面の上記ボス４３Ａの上部の両側から互いに平行に立上る立上り壁９１、９２と、該ボス４３Ａとで形成されるオイル捕集空間９３を第４の上部貯留部５４とすべく、このオイル捕集空間９３のデフケース４０に臨む下部側面を潤滑プレート、本実施例では右潤滑プレート９４で塞ぐとともに、その上部側面をデフ室１５内で回転するリングギヤ４４の外周の上部の右側部に臨むオイル導入開口５４Ａとして開口している。
【００８７】
デファレンシャル装置１０は、右潤滑プレート９４を両立上り壁９１、９２の相対する壁面（端面）に隙間なく添設し、オイル導入開口５４Ａを形成する上部からボス４３Ａの側に取着される下部に向けて下り勾配をなすように延在される。そして、右潤滑プレート９４の下端部が取着されたボス４３Ａの上端部（周方向の最上位部）に、第４の上部貯留部５４の最下部から、ボス４３Ａが保持している出力軸４１のための軸受４３の側室４３Ｂに渡るスリット状のオイル供給路５４Ｂを切欠形成している。
【００８８】
リングギヤ４４により下部貯留部５０から掻き上げられたオイルは、リングギヤ４４から直接的にオイル導入開口５４Ａに入り、又はカバー１７の壁面を伝わり流れてから、第４の上部貯留部５４に導入されて貯留される。第４の上部貯留部５４に貯留されたオイルは、第４の上部貯留部５４に近接配置されているデフケース４０の右端側の潤滑必要部Ｄに以下の順で潤滑作用を及ぼす。
【００８９】
(1)第４の上部貯留部５４に貯留されたオイルは、カバー１７の内面のボス４３Ａに上述の如くに切欠形成されているオイル供給路５４Ｂから、カバー１７のボス４３Ａが保持している出力軸４１のための軸受４３の側室４３Ｂに供給される。側室４３Ｂに供給されたオイルの一部は、軸受４３のボール間を通って該軸受４３を潤滑し、軸受４３の焼付防止と冷却を行なう。側室４３Ｂに供給されたオイルは、同時に、右車軸Ｒのためにカバー１７の右側の軸孔に設けられているオイルシール４９Ｒを潤滑する。軸受４３とオイルシール４９Ｒを潤滑したオイルは、軸受４３のボール間からカバー１７の下部に落下し、下部貯留部５０に戻る。
【００９０】
(2)カバー１７の側室４３Ｂに供給されたオイルの残部は、デフケース４０の軸孔に枢支されているサイドギヤ４５Ｂのための支軸４６Ｂの外周螺旋溝ｂ（図５）を通ってケース本体４０Ａの内部に流入し、デフケース４０Ａの内部のサイドギヤ４５Ｂ、４６Ｂ、デフピニオン４７Ａ、４７Ｂ等の差動装置を潤滑する。デフケース４０Ａの内部の差動装置を潤滑したオイルは、デフケース４０Ａの窓部からカバー１７の下部に落下し、下部貯留部５０に戻る。
【００９１】
以上により、本実施例によれば、以下の作用効果を奏する。
まず、デファレンシャル装置１０が、ハウジング１１内の複数の潤滑必要部Ａ〜Ｄに対して複数の上部貯留部５１〜５４をそれぞれ近接配置したことにより、以下の作用効果を奏する。
【００９２】
(a)モータ付デファレンシャル装置１０において、リングギヤ４４の一部を浸漬するようにオイルを貯留する下部貯留部５０をハウジング１１の内部の下部に設け、リングギヤ４４の回転に伴って下部貯留部５０から掻き上げられたオイルを貯留する第１〜第４の上部貯留部５１〜５４をハウジング１１の内部の上部の４カ所に設ける。モータ室１３の潤滑必要部Ａに対し第１の上部貯留部５１を、ギヤ室１４の潤滑必要部Ｂに対し第２の上部貯留部５２を、デフケース４０の一端側の潤滑必要部Ｃに対し第３の上部貯留部５３を、デフケース４０の他端側の潤滑必要部Ｄに対し第４の上部貯留部５４を、それぞれ近接配置した。
【００９３】
従って、各潤滑必要部Ａ〜Ｄに近接した複数の各上部貯留部５１〜５４に貯留したオイルをスムースに供給できる。加減速や旋回Ｇが作用しても常に、ハウジング１１の下部貯留部５０から上部貯留部５１〜５４に掻き上げたオイルを、ハウジング１１の内部の複数の潤滑必要部Ａ〜Ｄに安定的に供給できる。
【００９４】
オイルを唯１つのリングギヤ４４により掻き上げて、ハウジング１１の内部の複数の上部貯留部５１〜５４ひいては潤滑必要部Ａ〜Ｄへ供給するものであり、オイルの掻き上げに伴う撹拌抵抗損失を小さくすることができる。
【００９５】
モータ２０がオイルの掻き上げを伴うことなく、リングギヤ４４がオイルの掻き上げを行なうものであるから、オイル掻き上げ効果が大きい。また、モータ室１３に掻き上げようとしても多量のオイルを貯留する必要がなく、オイル掻き上げの撹拌によるオイルの油温上昇をモータ室１３で招くこともない。
【００９６】
(b)前記デフケース４０の出力軸４１に交差し、モータ室１３とギヤ室１４とを仕切る隔壁１２をハウジング１１の内部に有し、リングギヤ４４が掻き上げるオイルに相対するオイル受け面６１にて該オイルを受けるオイル受けリブ６０が上記隔壁１２のギヤ室１４側に突設され、該隔壁１２におけるオイル受けリブ６０のオイル受け面６１側の付け根にモータ室１３側の上部貯留部５１につながる孔１２Ａを設け、オイル受けリブ６０のオイル受け面６１の一部にギヤ室１４側の上部貯留部５２の側へ向けて下り勾配をなすギヤ室１４向けのオイル分配面６２を備え、オイル受けリブ６０のオイル受け面６１の他部に上記孔１２Ａ及びモータ室１３側の上部貯留部５１の側へ向けて下り勾配をなすモータ室１３向けのオイル分配面６３を備える。
【００９７】
隔壁１２のギヤ室１４側の上部貯留部５２へ向かうオイルの流れを生じさせるオイル受けリブ６０のギヤ室１４向けのオイル分配面６２は、ハウジング１１における隔壁１２のギヤ室１４側を形成する鋳型の抜き方向にあり、この鋳型を用いる鋳造において不可欠となる抜き勾配により該リブの上にギヤ室１４向けのオイル分配面６２の下り勾配を形成できる。
【００９８】
隔壁１２のモータ室１３側の上部貯留部５１へ向かうオイルの流れを生じさせるオイル受けリブ６０のモータ室１３向けのオイル分配面６３は、ハウジング１１における隔壁１２のモータ室１３側を形成する鋳型の抜き方向にあり、この鋳型を用いる鋳造において不可欠となる抜き勾配により該リブ６０の上にモータ室１３向けのオイル分配面６３の下り勾配を形成できる。
【００９９】
オイル受けリブ６０の上述のギヤ室１４向けとモータ室１３向けの両オイル分配面６２、６３を単一のオイル受けリブ６０に併せ形成し、しかも鋳型により簡易に形成でき、それらの両オイル分配面６２、６３によって、リングギヤ４４により掻き上げられるオイルを隔壁１２の両側の上部貯留部５１、５２に分配することができる。
【０１００】
デファレンシャル装置１０において、４個の上部貯留部５１〜５４を設けたが、それらに対応する各潤滑必要部Ａ〜Ｄのオイル必要量に応じてそれらの上部貯留部５１〜５４の容積を調整することで、それらの上部貯留部５１〜５４同士を油路で連通させてオイル量のバランスをとる必要がない。
【０１０１】
また、デファレンシャル装置１０が、ハウジング１１に設けた隔壁１２の一側と他側のそれぞれに第１と第２の上部貯留部５１、５２を設け、隔壁１２の一側に突設したオイル受けリブ６０のオイル受け面６１に、一側向きのオイル分配面６２と他側向きのオイル分配面６３を備えたことにより、以下の作用効果を奏する。
【０１０２】
(a)デフケース４０の出力軸４１に交差する面上に設けられ、モータ２０が配置されるモータ室１３と減速ギヤ列３０が配置されるギヤ室１４とを仕切る隔壁１２をハウジング１１の内部に有し、この隔壁１２のギヤ室１４側にデフケース４０及びリングギヤ４４を配置するとともに、該隔壁１２のモータ室１３側とギヤ室１４側のそれぞれに上部貯留部５１、５２を設け、リングギヤ４４が掻き上げるオイルに相対するオイル受け面６１にて該オイルを受けるオイル受けリブ６０が上記隔壁１２のギヤ室１４側に突設され、該隔壁１２におけるオイル受けリブ６０のオイル受け面６１側の付け根にモータ室１３側の上部貯留部５１、５２につながる孔１２Ａを設け、オイル受けリブ６０のオイル受け面６１の一部にギヤ室１４側の上部貯留部５２の側へ向けて下り勾配をなすギヤ室１４向けのオイル分配面６２を備え、オイル受けリブ６０のオイル受け面６１の他部に上記孔１２Ａ及びモータ室１３側の上部貯留部５１の側へ向けて下り勾配をなすモータ室１３向けのオイル分配面６３を備える。
【０１０３】
隔壁１２のギヤ室１４側の上部貯留部５１、５２へ向かうオイルの流れを生じさせるオイル受けリブ６０のギヤ室１４向けのオイル分配面６２は、ハウジング１１における隔壁１２のギヤ室１４側を形成する鋳型の抜き方向にあり、この鋳型を用いる鋳造において不可欠となる抜き勾配により該リブ６０の上にギヤ室１４向けのオイル分配面６２の下り勾配を形成できる。
【０１０４】
隔壁１２のモータ室１３側の上部貯留部５１、５２へ向かうオイルの流れを生じさせるオイル受けリブ６０のモータ室１３向けのオイル分配面６３は、ハウジング１１における隔壁１２のモータ室１３側を形成する鋳型の抜き方向にあり、この鋳型を用いる鋳造において不可欠となる抜き勾配により該リブ６０の上にモータ室１３向けのオイル分配面６３の下り勾配を形成できる。
【０１０５】
オイル受けリブ６０の上述のギヤ室１４向けとモータ室１３向けの両オイル分配面６２、６３を単一のオイル受けリブ６０に併せ形成し、しかも鋳型により簡易に形成でき、それらの両オイル分配面６２、６３によって、リングギヤ４４により掻き上げられるオイルを隔壁１２の両側の上部貯留部５１、５２に分配することができる。
【０１０６】
両オイル分配面６２、６３の形状設定により、モータ室１３側とギヤ室１４側の各上部貯留部５１、５２に対しそれらの必要オイル量に応じた分配量を適度に分配できる。
【０１０７】
尚、デファレンシャル装置１０にあっては、下記(b)、(c)を採用することができる。
(b)前記ハウジング１１が有する隔壁１２のモータ室１３側とギヤ室１４側のそれぞれに少なくとも各１つの上部貯留部を設けることができる。
【０１０８】
(c)前記ハウジング１１が有する隔壁１２のモータ室１３側とギヤ室１４側のそれぞれに複数の上部貯留部を設けてなり、オイル受けリブ６０に設けるギヤ室１４向けのオイル分配面６２がギヤ室１４側の複数の上部貯留部に対応する複数のオイル分配面６２を備え、オイル受けリブ６０に設けるモータ室１３向けのオイル分配面６３がモータ室１３側の複数の上部貯留部に対応する複数のオイル分配面６３を備えるものとすることができる。
【０１０９】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は、トランスアクスル装置等の他の減速装置にも適用できる。そのような減速装置では、ハウジングの内部に回転体を配置し、回転体の回転に伴って掻き上げられてハウジングの内部に飛散したオイルが、ハウジングの内部に離隔して設けられる複数の上部貯留部のそれぞれに分配されるものとするとき、回転体の回転軸に交差配置される隔壁をハウジングの内部に有し、この隔壁の一側に回転体を配置するとともに、該隔壁の一側と他側のそれぞれに上部貯留部を設け、回転体が掻き上げるオイルに相対するオイル受け面にて該オイルを受けるオイル受けリブが上記隔壁の一側に突設され、該隔壁におけるオイル受けリブのオイル受け面側の付け根に他側の上部貯留部につながる孔を設け、オイル受けリブのオイル受け面の一部に一側の上部貯留部の側へ向けて下り勾配をなす一側のオイル分配面を備え、オイル受けリブのオイル受け面の他部に上記孔及び他側の上部貯留部の側へ向けて下り勾配をなす他側のオイル分配面を備えてなるものとするものである。
【産業上の利用可能性】
【０１１０】
本発明は、ハウジングの内部に回転体を配置し、回転体の回転に伴って掻き上げられてハウジングの内部に飛散したオイルが、ハウジングの内部に離隔して設けられる複数の上部貯留部のそれぞれに分配される減速装置において、回転体の回転軸に交差配置される隔壁をハウジングの内部に有し、この隔壁の一側に回転体を配置するとともに、該隔壁の一側と他側のそれぞれに上部貯留部を設け、回転体が掻き上げるオイルに相対するオイル受け面にて該オイルを受けるオイル受けリブが上記隔壁の一側に突設され、該隔壁におけるオイル受けリブのオイル受け面側の付け根に他側の上部貯留部につながる孔を設け、オイル受けリブのオイル受け面の一部に一側の上部貯留部の側へ向けて下り勾配をなす一側のオイル分配面を備え、オイル受けリブのオイル受け面の他部に上記孔及び他側の上部貯留部の側へ向けて下り勾配をなす他側のオイル分配面を備える。これにより、減速装置において、ハウジングの内部に設けた隔壁の表裏両側に上部貯留部を設けてなるとき、回転体により掻き上げられたオイルを隔壁の表裏両側の上部貯留部に分配することができる。
【符号の説明】
【０１１１】
１０  モータ付デファレンシャル装置（減速装置）
１１  ハウジング
１２  隔壁
１２Ａ  孔
１３  モータ室
１４  ギヤ室
２０  モータ
３０  減速ギヤ列
４０  デフケース（回転体）
４４  リングギヤ（回転体）
５１、５２、５３、５４  上部貯留部
６０  オイル受けリブ
６１  オイル受け面
６２、６３  オイル分配面
【図１】
2012189176.tif 000003
【図２】
2012189176.tif 000004
【図３】
2012189176.tif 000005
【図４】
2012189176.tif 000006
【図５】
2012189176.tif 000007
【図６】
2012189176.tif 000008
【図７】
2012189176.tif 000009
【図８】
2012189176.tif 000010
【図９】
2012189176.tif 000011
【図１０】
2012189176.tif 000012
【図１１】
2012189176.tif 000013
【図１２】
2012189176.tif 000014
【図１３】
2012189176.tif 000015